(57)【要約】      （修正有）【課題】金属ケースの電磁遮蔽特性がアンテナの信号送受信品質に影響することのない情報処理装置を提供する。【解決手段】情報処理装置は、表示部及び前記情報処理装置の第１のアンテナを有する第１の手段１と、前記表示部に表示信号を提供するための演算部及びＲＦ回路を有する第２の手段２と、前記第１の手段と前記第２の手段を接続し、第１の手段を第２の手段に対して回転させる第１の接続手段３と、前記第１の接続手段に設置される第２のアンテナとを有する。【選択図】図１
2013081175.tif 000002
【特許請求の範囲】
【請求項１】
情報処理装置であって、
表示部及び前記情報処理装置の第１のアンテナを有する第１の手段と、
前記表示部に表示信号を提供するための演算部及びＲＦ回路を有する第２の手段と、
前記第１の手段と前記第２の手段を接続し、且つ前記第１の手段を前記第２の手段に対して回転させる第１の接続手段と、
前記第１の接続手段に設置される第２のアンテナと、
を有する情報処理装置。
【請求項２】
前記第１の手段は、前記表示部を格納する第１の金属ケースを有し、且つ前記第１の金属ケースは第１の表面及び第２の表面を有し、
前記第１の金属ケースの第１の表面は、前記表示部の表示スクリーンと向かい合い、前記第１のアンテナとして使われる請求項１に記載の情報処理装置。
【請求項３】
前記第２の手段は、前記演算部及び前記ＲＦ回路を格納する第２の金属ケースを有し、且つ前記第２の金属ケースは第３の表面及び第４の表面を有し、
前記第３の表面は前記第２金属ケースの上表面であり、且つ前記第４の表面は前記第２の金属ケースの下表面であり、
前記情報処理装置は、前記第１の表面と前記第４の表面の相対的な位置に基づいて第１の作業状態及び第２の作業状態を具備する請求項２に記載の情報処理装置。
【請求項４】
前記第１の手段が前記第２の手段に対して時計回りに回転し、且つ前記第１の表面と前記第４の表面が重ならない場合、前記情報処理装置は前記第１の作業状態を有し、
前記第１の手段が前記第２の手段に対して時計回りに回転し、且つ前記第１の表面と前記第４の表面が重なる場合、前記情報処理装置は前記第２の作業状態を有する請求項３に記載の情報処理装置。
【請求項５】
前記第１の作業状態では、前記第１のアンテナと前記ＲＦ回路とが結合され、且つ前記第２のアンテナと前記ＲＦ回路とが結合され、
前記第２の作業状態では、前記第２のアンテナと前記ＲＦ回路とが結合される請求項４に記載の情報処理装置。
【請求項６】
前記ＲＦ回路と接続され、給電点を有する給電線を更に有し、
前記ＲＦ回路は前記給電線を通じてＲＦ信号を送受信するために用いられる請求項５に記載の情報処理装置。
【請求項７】
前記給電点は前記第１の接続手段の中に設置され、
前記第１の作業状態では、前記給電点と前記第１のアンテナ及び/または前記第２のアンテナとが電気的結合される請求項６に記載の情報処理装置。
【請求項８】
前記第２の作業状態では、前記給電点と前記第２のアンテナとが電気的結合される請求項６に記載の情報処理装置。
【請求項９】
前記ＲＦ回路と前記給電線の間に設置され、前記給電線により伝送された信号を分周する分周器を更に備える請求項６に記載の情報処理装置。
【発明の詳細な説明】
【技術分野】
【０００１】
本発明は情報処理装置に関する。更に具体的には、本発明は複数のアンテナ部を有する情報処理装置に関する。
【背景技術】
【０００２】
現在、ノート型コンピュータなどの情報処理装置では、ディスプレイ、マザーボード及びプロセッサなどのハードウェアを格納するケースに金属素材が用いられることが多い。
【発明の概要】
【発明が解決しようとする課題】
【０００３】
このような場合、比較的高い信号送受信品質を取得するため、情報処理装置のアンテナ（例えば、ｗｉｆｉ通信や３Ｇ通信のためのアンテナ）には、一定の電磁クリアランスゾーン（金属素材が近くに存在しない区域）が必要であるが、通常、金属ケースの電磁遮蔽特性はアンテナの信号送受信品質に影響する。そのため、金属ケースに当該電磁クリアランスゾーンを設けなければならないことが多い（例えば、プラスチックと金属の一体型によるものを採用する）。しかし、これは通常情報処理装置のコストの増加を招き、金属ケースの質感にも影響する。
【課題を解決するための手段】
【０００４】
従来技術の上記課題を解決するため、本発明の一方面として、情報処理装置であって、表示部及び前記情報処理装置の第１のアンテナを有する第１の手段と、前記表示部に表示信号を提供するための演算部及びＲＦ回路を有する第２の手段と、前記第１の手段と前記第２の手段を接続し、且つ前記第１の手段を前記第２の手段に対して回転させる第１の接続手段と、前記第１の接続手段に設置される第２のアンテナとを有する情報処理装置を提供する。
【０００５】
また、本発明の実施例によれば、前記第１の手段は、前記表示部を格納する第１の金属ケースを有し、且つ前記第１の金属ケースは第１の表面及び第２の表面を有し、前記第１の金属ケースの第１の表面は、前記表示部の表示スクリーンと向かい合い、前記第１のアンテナとして使われる。
【０００６】
また、本発明のもう一つの実施例によれば、前記第２の手段は、前記演算部及び前記ＲＦ回路を格納する第２の金属ケースを有し、且つ前記第２の金属ケースは第３の表面及び第４の表面を有し、前記第３の表面は前記第２金属ケースの上表面であり、且つ前記第４の表面は前記第２の金属ケースの下表面であり、前記情報処理装置は、前記第１の表面と前記第４の表面の相対的な位置に基づいて第１の作業状態及び第２の作業状態を有する。
【０００７】
また、本発明のもう一つの実施例によれば、前記第１の手段が前記第２の手段に対して時計回りに回転し、且つ前記第１の表面と前記第４の表面が重ならない場合、前記情報処理装置は前記第１の作業状態を有し、前記第１の手段が前記第２の手段に対して時計回りに回転し、且つ前記第１の表面と前記第４の表面が重なる場合、前記情報処理装置は前記第２の作業状態を有する。
【０００８】
また、本発明のもう一つの実施例によれば、前記第１の作業状態では、前記第１のアンテナと前記ＲＦ回路とが結合され、且つ前記第２のアンテナと前記ＲＦ回路とが結合され、前記第２の作業状態では、前記第２のアンテナと前記ＲＦ回路とが結合される。
【０００９】
また、本発明のもう一つの実施例によれば、前記情報処理装置は、前記ＲＦ回路と接続され、給電点を有する給電線を更に有し、前記ＲＦ回路は前記給電線を通じてＲＦ信号を送受信するために用いられる。
【００１０】
また、本発明のもう一つの実施例によれば、前記給電点は前記第１の接続手段の中に設置され、前記第１の作業状態では前記給電点と前記第１のアンテナ及び/または前記第２のアンテナとが電気的結合される。
【００１１】
また、本発明のもう一つの実施例によれば、前記第２の作業状態では、前記給電点と前記第２のアンテナとが電気的結合される。
【００１２】
また、本発明のもう一つの実施例によれば、前記情報処理装置は前記ＲＦ回路と前記給電線の間に設置され、前記給電線により伝送された信号を分周する分周器を更に備える。
【図面の簡単な説明】
【００１３】
【図１】本発明の実施例にかかる情報処理装置を模式的に示すブロック図である。
【図２】本発明の実施例にかかる情報処理装置の第１の手段の模式図である。
【図３】本発明の実施例にかかる接続手段の模式図である。
【発明を実施するための形態】
【００１４】
図面を参照して本発明の各実施例を詳しく説明する。図面において、基本的に同一または類似の構造及び機能を有する構成部には同一の記号を付し、これらに関しての繰り返しの説明を省略することに注意されたい。
【００１５】
図１は本発明の実施例にかかる情報処理装置を模式的に示すブロック図である。図１に示すように、ノート型コンピュータなどの情報処理装置は、第１の手段１と、第２の手段２と、第１の手段１と第２の手段２を接続する接続手段３とを有してもよい。
【００１６】
本発明の実施例によれば、第１の手段１は情報処理装置（ノート型コンピュータ）のディスプレイの部分であり、且つ如何なる種類の表示スクリーン及び第１のアンテナを有してもよい。ここでは、第１の手段１は表示スクリーンを格納するための第１の金属ケースを有し、当該金属ケースは第１の表面と第２の表面を備える。
【００１７】
第２の手段２は情報処理装置の本体の部分であってもよく、演算部、及びＲＦ回路などのハードウェアを有してもよい。ここでは、演算部はいかなる種類のプロセッサ、マイクロプロセッサまたはＤＳＰで実現してもよく、所定のプログラムに基づいて所定の操作を実行することができる。例えば、演算部は表示信号を表示スクリーンに提供することができる。ＲＦ回路はいかなるＲＦ回路で実現してもよく、アンテナにＲＦ信号を送信し、またはアンテナからＲＦ信号を受信することができる。ここでは、第２の手段２は演算部及びＲＦ回路を格納するための第２の金属ケースを有し、且つ第２の金属ケースは第３の表面及び第４の表面を有し、第３の表面は第２の金属ケースの上表面であり、第４の表面は第２の金属ケースの下表面である。
【００１８】
接続手段３はいかなる種類のヒンジまたは回転軸で形成されてもよい。ここでは、接続手段３は第１の手段１と第２の手段２を接続するために用いられる。例えば、ヒンジまたは回転軸などの接続手段３の両端をそれぞれ第１の手段１と第２の手段２に固定し、第１の手段１（ディスプレイの部分）が第２の手段２（本体の部分）に対して回転できるようにしてもよい。
【００１９】
ここでは、本発明の実施例によれば、情報処理装置は第２のアンテナを更に有する。当該第２のアンテナは接続手段に設置される。ここでは、第１のアンテナ及び第２のアンテナは共にいかなる無線ネットワークにも使用できる。例えば、第１のアンテナ及び第２のアンテナは３Ｇ及び／あるいはｗｉｆｉアンテナであってもよい。
【００２０】
次に本発明の各実施例にかかる情報処理装置のアンテナの配置について詳しく説明する。
【００２１】
図２は本発明の実施例にかかる情報処理装置の第１の手段の模式図である。
【００２２】
例えば、図２に示すように、第１の手段１は表示スクリーンを格納するための第１の金属ケースを有し、当該第１の金属ケースは第１の表面１１及び第２の表面１２を有する。ここでは、第１の表面１１は表示スクリーンから離れた側にあり、且つ表示スクリーンの向かい側の金属表面（即ち表示部の裏面）であり、第２の表面１２は表示スクリーン側の金属表面（即ち表示部の正面）である。ここでは、本発明の実施例によれば、第１の表面１１全体を第１のアンテナとして用いることができる。
【００２３】
図３は本発明の実施例にかかる接続手段の模式図である。
【００２４】
図３に示すように、第２のアンテナ３１は接続手段３に接続される。ここでは、例えば、第２のアンテナ３１はスロットアンテナ（図３）によって実現することができる。ここでは、スロットアンテナの原理は当業者によって公知であり、ここで簡単に述べることとする。一般的な直線型のアンテナと異なり、スロットアンテナは「矩形波」形状を有する金属アンテナにより実現する。迂回する形状のスロットアンテナを使用するのは、限られた空間においてアンテナの長さをできる限り長くするためである。ここでは、アンテナの長さが長いほど、当該アンテナがサポートするバンドが多くなるため、本発明の第２のアンテナ３１はスロットアンテナの構造を使用する。例えば、本発明の実施例によれば、第２のアンテナ３１のスロット間の距離を適切に調節することで、１４×６×１０ｍｍ３の空間ですべてのバンド（例えば、すべての３Ｇバンド、ｗｉｆｉなど）をサポートする第２のアンテナ３１を設けることができる。
【００２５】
また、本発明は図３に示される場合に限定されない。例えば、接続手段３が金属素材である場合、接続手段３に第２のアンテナ３１を構築してもよい。具体的には、接続手段３の表面をスロットアンテナの矩形波の形状を有するようエッチングしてもよい。この場合、接続手段３は第２のアンテナ３１として用いることができる。
【００２６】
また、本発明のもう一つの実施例によれば、接続手段３が非金属素材である場合、接続手段３の内部にスロットアンテナ構造を有する第２のアンテナ３１を設置してもよい。例えば、接続手段３は第２のアンテナ３１を格納するスペースを有する構造にする。
【００２７】
なお、接続手段３の内部にスロットアンテナ構造を有する第２のアンテナ３１を設置し、且つ接続手段３の外部に第２のアンテナ３１の延長部分を設置し、第２のアンテナ３１の長さを更に伸ばしてもよい。
【００２８】
また、本発明の各実施例にかかる情報処理装置は、更に給電線（図示せず）を有してもよい。当該給電線はＲＦ回路に接続され、且つ給電点を備える。ここでは、給電線の給電点も接続手段３の中に設置され、第１のアンテナ１１及び第２のアンテナ３１と結合される。ここでは、ＲＦ回路は給電線を通じてＲＦ信号を送受信する。
【００２９】
次に、第１のアンテナ及び第２のアンテナの作業の状況を説明する。
【００３０】
例えば、情報処理装置が普段の作業状態である場合（例えば、図１に示すノート型コンピュータを開き、使用する場合）、情報処理装置が外部装置または外部ネットワークと無線通信を行うとき、情報処理装置はベースバンドプロセッサ（図示せず）を通じて、データをＲＦ回路に送信する。このとき、ＲＦ回路でＲＦ信号を生成し、給電線を通じてＲＦ信号を給電点に送信する。ここでは、給電点は接続手段３の中に設置され、且つ第１のアンテナ１１及び第２のアンテナ３１との距離が非常に近いので、給電点が第１のアンテナ１１及び第２のアンテナ３１と直接接続されるか否かを問わず、給電点にＲＦ信号があるときは、当該給電点は第１のアンテナ１１及び第２のアンテナ３１の双方と電気的結合される。このような場合、第１のアンテナ１１及び第２のアンテナ３１は共に給電点からのＲＦ信号を送信し、アンテナの機能を果たすことができる。以上の説明において、第２のアンテナ３１は複数のバンドをサポートするアンテナであってもよい。ここでは、第１のアンテナ１１は表示スクリーンの金属ケースの第１の表面（裏面）であり、かつ十分大きな面積を有するもの（通常、ノートブックコンピュータの表示スクリーンは少なくとも１０．１インチより大きい）であってもよく、第１のアンテナ１１は複数のバンドをサポートするアンテナとして用いることもできる。
【００３１】
同じように、情報処理装置が外部装置またはネットワークからのＲＦ信号を受信するとき、第１のアンテナ１１及び第２のアンテナ３１の双方は給電点と電気的結合され、これにより外部装置またはネットワークからのＲＦ信号を給電線を通じてＲＦ回路に送信することができる。
【００３２】
ここで、第１のアンテナ１１及び第２のアンテナ３１から情報処理装置の外部への延長方向にはいかなる遮断物も存在しないため、両方とも非常に大きなクリアランスゾーンを有し、それゆえ高いＲＦ信号の送受信品質が得られるにことに注意されたい。
【００３３】
以上に本発明の実施例にかかる情報処理装置を説明したが、本発明はこれに限定されない。情報処理装置はさらに他の作業状態を有してもよい。
【００３４】
例えば、本発明のもう一つの実施例によれば、ノート型コンピュータなどの情報処理装置は、第１の金属ケースの第１の表面（表示スクリーンの裏面）と第２の金属ケースの第４の表面（本体部分の下表面）の相対的な位置に基づいて、ノート形態とタブレット状態を有することができる。例えば、接続手段３を配置することにより、第１の手段１が第２の手段に対して時計回りに回転することによって、ノート形態とタブレット形態とを切り替える。具体的には、情報処理装置が所定位置（第１の表面と第４の表面が重ならない、例えば１２０度）まで開いたとき（即ち、第２の手段２に対して時計回りに第１の手段１を回転させる）、情報処理装置はノート型コンピュータとして使用することができる。また、第２の手段２に対して時計回りに第１の手段１を回転させ、第１の表面（表示スクリーンの裏面）と第２の金属ケースの第４の表面（本体部分の下表面）が重なるとき（裏返しモード）、情報処理装置はタブレットとして使用することができる。
【００３５】
情報処理装置がノート形態のとき、以上の説明と同じように、給電点は接続手段３の中に設置され、且つ第１のアンテナ１１及び第２のアンテナ３１との距離が非常に近い。そのため、給電点にＲＦ信号があるときは、当該給電点は第１のアンテナ１１及び第２のアンテナ３１の双方と電気的結合される。このような場合、第１のアンテナ１１及び第２のアンテナ３１は共に給電点からのＲＦ信号を送信し、アンテナの機能を果たすことができる。また、情報処理装置が外部装置またはネットワークからのＲＦ信号を受信するとき、第１のアンテナ１１及び第２のアンテナ３１の双方は同じく給電点と電気的結合され、これにより外部装置またはネットワークからのＲＦ信号を給電線を通じてＲＦ回路に送信することができる。
【００３６】
また、情報処理装置がタブレット形態のとき、第１のアンテナとして用いられる第１の表面１１（表示スクリーンの裏面）と第２の金属ケースの第４の表面（本体部分の下表面）が重なる、すなわち接触する。この場合、第２の金属ケースの第４の表面は金属表面であり、且つ当該第４の表面は通常第１のアンテナ１１及び第２のアンテナ３１のアース端子として使用されるため、第１のアンテナ１１は直接グランドに接続され、アンテナとして使用されない。また、第４の表面が第１のアンテナ１１及び第２のアンテナ３１のアース端子として使用されない場合、第４の表面の存在により、第１のアンテナは十分なクリアランスゾーンを有さない。このとき、第２のアンテナ３１は接続手段３に設置され、且つ第１の手段の回転によって位置が変化しないため、第２のアンテナ３１はＲＦ回路と電気的結合することができることから、情報処理装置は依然として第２のアンテナ３１を通じてＲＦ信号の送受信ができる。具体的には、情報処理装置のタブレット形態では、ＲＦ回路と接続される給電線の給電点が、第２のアンテナ３１と電気的結合する。このとき、第２のアンテナ３１は給電点からのＲＦ信号を送信できるので、アンテナとしての役割を果たす。また、情報処理装置が外部装置またはネットワークからＲＦ信号を受信するとき、第２のアンテナ３１は給電点３１と電気的結合してもよく、これにより、外部装置またはネットワークからのＲＦ信号をＲＦ回路に送信することができる。
【００３７】
上記のように配置することにより、情報処理装置の金属ケースの一部を第１のアンテナとして使用し、第１の手段と第２の手段を接続する接続手段の一部を第２のアンテナとして使用することにより、情報処理装置の外部装置及びネットワークとの無線通信の機能を実現すると共に、情報処理装置の設計上の複雑度を下げることができる。また、第１のアンテナ及び第２のアンテナは共に十分なクリアランスゾーンを有するため、第１のアンテナ及び第２のアンテナのＲＦ信号の送受信品質は非常に高く、優れた無線通信の効果を実現することができる。なお、本発明にかかる第１のアンテナ及び第２のアンテナの設計は情報処理装置の複数の作業モード（例えば、ノート形態とタブレット形態）をサポートすることができるので、情報処理装置が作業モードであるとしても、本発明の第１のアンテナ及び第２のアンテナを有するアンテナの設計により、情報処理装置が無線通信を行えるようになっており、情報処理装置の有用性を向上させる。
【００３８】
また、本発明のもう一つの実施例によれば、情報処理装置は更に分周器を有してもよい。当該分周器はＲＦ回路と給電線の間に設置され、且つ給電線により伝送される信号を分周することができる。ここでは、分周器はいかなる種類の分周器で実現してもよい。ここでは、以上に説明したように、第１のアンテナ１１及び第２のアンテナ３１は複数のバンド（例えば、３Ｇのすべてのバンド及びｗｉｆｉ）のＲＦ信号をサポートすることができるため、第１のアンテナ１１及び第２のアンテナ３１と結合する給電線で異なる周波数を有する複数のＲＦ信号を伝送することができる。このような場合、給電線で伝送されるＲＦ信号を分周器によって複数のバンド（例えば、３Ｇの１８００ＭＨｚ、１９００ＭＨｚ、ｗｉｆｉの２．４ＧＨｚなど）を有する信号に分離することによって、第１のアンテナ１１及び第２のアンテナ３１のみによって異なる周波数を有するＲＦ信号を送受信することができ、以って異なる種類の周波数を有するＲＦ信号のために複数のアンテナを設計する必要がなくなる。したがって、ＲＦ回路と給電線の間に分周器を設置することによって、アンテナの設計の複雑度を上げずに、情報処理装置に複数の周波数を有するＲＦ信号を同時に送受信させることができる。ここでは、給電線で伝送される可能性がある信号を異なる周波数を有する複数の種類のＲＦ信号に分離する場合、分離された複数の種類のＲＦ信号の数量に相当するＲＦ回路によって対応するＲＦ信号の送受信をしなければならないことに注意されたい。
【００３９】
以上に本発明の各実施例を詳しく説明したが、当業者が理解するように、本発明の原理及び思想から離脱しない範囲でこれらの実施例の変更、結合、または部分的な結合は、本発明の範囲内に属する。
【図１】
2013081175.tif 000003
【図２】
2013081175.tif 000004
【図３】
2013081175.tif 000005
【外国語明細書】
INFORMATION PROCESSING DEVICE
Technical field
・  The present disclosure relates to an information processing device, in particular to an information processing device having a plurality of antenna units.
BACKGROUND
・  At present, an information processing device such as a notebook computer often utilizes metallic materials as a house containing hardwares such as a display, a mainboard and a processor. In such a case, an antenna (such as an antenna for wifi communication or 3G communication) of an information processing device needs certain electromagnetic clearance area (no metallic material exists in the vicinity thereof) to obtain a higher signal receiving/sending quality, however, the electromagnetic shielding characteristic of a metallic house generally influences the signal receiving/sending quality of the antenna, and therefore it often needs to open the electromagnetic clearance area (for example, through utilizing an integral forming of plastics and metal) on the metallic house. This will generally increase the cost of the information processing device and influence the texture of the metallic house. 
Technical field
・  In order to solve the technical problem in the prior art, an aspect of the present disclosure provides an information processing device, comprising: a first component, including a display unit and a first antenna of the information processing device; a second component, including an arithmetic unit and a radio frequency circuit, the arithmetic unit used for providing a display signal to the display unit; a first connecting means used for connecting the first component and the second component and enabling the first component to rotate relative to the second component; and a second antenna disposed on the first connecting means. 
・  Further, according to one embodiment of the present disclosure, wherein the first component comprises a first metallic house body used for containing the display unit, and the first metallic house body having a first surface and a second surface; and the first surface of the first metallic house body is opposite to a display screen of the display unit, and is used as the first antenna. 
・  Further, according to another embodiment of the present disclosure, wherein the second component comprises a second metallic house body used for containing the arithmetic unit and the radio frequency circuit, and the second metallic house body having a third surface and a fourth surface, wherein the third surface is an upper surface of the second metallic house body, and the fourth surface is a lower surface of the second metallic house body; and the information processing device has a first operation state and a second operation state based on a relative position of the first surface and the fourth surface,.  
・  Further, according to another embodiment of the present disclosure, wherein the information processing device has the first operation state, if the first component clockwise rotates relative to the second component, and if the first surface and the fourth surface do not coincide; and the information processing device has the second operation state, if the first component clockwise rotates relative to the second component, and if the first surface and the fourth surface coincide. 
・  Further, according to another embodiment of the present disclosure, wherein in the first operation state, the first antenna is coupled with the radio frequency circuit, and the second antenna is coupled with the radio frequency circuit; and in the second operation state, the second antenna is coupled with the radio frequency circuit.
・  Further, according to another embodiment of the present disclosure, the information processing device further comprises: a feed line connected with the radio frequency circuit, the feed line having a feed point; and the radio frequency circuit is used for receiving or sending a radio frequency signal via the feed line. 
・  Further, according to another embodiment of the present disclosure, wherein the feed point is disposed in the first connecting means; and in the first operation state, the feed point is electrically coupled with the first antenna and/or the second antenna. 
・  Further, according to another embodiment of the present disclosure, wherein in the second operation status, the feed point is electrically coupled with the second antenna. 
・  Further, according to another embodiment of the present disclosure, the information processing device further comprises: a frequency divider disposed between the radio frequency circuit and the feed line, being configured to divide a frequency of the radio frequency signal transmitted by the feed line. 
BRIEF DESCRIPTION OF THE DRAWINGS
・  Fig.1 is a schematic block view illustrating an information processing device according to the embodiment of the present disclosure;
・  Fig.2 is a schematic view illustrating a first component of the information processing device according to the embodiment of the present disclosure; and
・  Fig.3 is a schematic view illustrating a connecting component according to the embodiment of the present disclosure;
DETAILED DESCRIPTION
・  Each embodiment of the present disclosure will be described in detail with reference to the accompanying figures. Herein, it should be noted that, in the accompanying figures, the same reference sign is given to the component parts that basically possess the same or similar structures and functions, and the repetitive description thereabout will be omitted.
・  Fig.1 is a schematic block view illustrating the information processing device according to the embodiment of the present disclosure. As illustrated in Fig. 1, an information processing device such as a notebook computer may comprise a first component 1, a second component 2 and a connecting component 3 connecting the first component 1 and the second component 2 together.
・  According to the embodiment of the present disclosure, the first component 1 may be the display part of the information processing device (notebook computer), and may comprise any type of display screen and a first antenna. The first component 1 herein comprises a first metallic house body used for containing the display screen. The metallic house body has a first surface and a second surface.   
・  The second component 2 may be the host part of an information processing device, and may comprise hardwares such as an arithmetic unit and a radio frequency circuit. The arithmetic unit herein may be realized by any type of processor, microprocessor or DSP, and may perform a predetermined operation based on a predetermined program. For example, the arithmetic unit may be used for providing a display signal to the display screen. The radio frequency circuit may be realized by any RF circuit, and can send a RF signal to an antenna or receive a RF signal from an antenna. The second component 2 herein comprises a second metallic house body used for containing the arithmetic unit and the radio frequency circuit, and the second metallic house body has a third surface and a fourth surface, wherein the third surface is an upper surface of the second metallic house body, and the fourth surface is a lower surface of the second metallic house body. 
・  The connecting component 3 may be composed of any type of hinge or shaft. The connecting component 3 herein is used for connecting the first component 1 and the second component 2. For example, the two ends of the connecting component 3 such as a hinge or a shaft can be fixed on the first component 1 and the second component 2 respectively, and can enable the first component 1 (the display part) to rotate relative to the second component 2 (the host part). 
・  Herein, according to the embodiment of the present disclosure, the information processing device further comprises a second antenna. The second antenna is disposed on the connecting component. Herein, both the first antenna and the second antenna can be used over any wireless network. For example, the first antenna and the second antenna may be a 3G and/or a wifi antenna. 
・  Below are detailed descriptions of the configuration of the antenna of the information processing device according to each embodiment of the present disclosure. 
・  Fig.2 is a schematic view illustrating the first component of the information processing device according to the embodiment of the present disclosure.
・  For example, as illustrated in Fig. 2, the first component 1 comprises the first metallic house body used for containing the display screen, and the first metallic house body comprises a first surface 11 and a second surface 12. Herein, the first surface 11 is a metallic surface (i.e., the back of the display unit) away from the display screen side and opposite to the display screen, while the second surface 12 is a metallic surface (i.e., the front of the display unit) at the display screen side. Herein, according to the embodiment of the present disclosure, the first surface 11 on whole can be used as a first antenna. 
・  Fig.3 is a schematic view illustrating the structure of the second antenna according to the embodiment of the present disclosure.
・  As illustrated in Fig. 3, a second antenna 31 is connected with the connecting component 3. Herein, for example, the second antenna 31 can be realized by a slot antenna (Fig. 3). Herein, since the principle of a slot antenna is common knowledge for those skilled in the art, it will be simply described herein. Being different from a general linear antenna, the slot antenna is realized by a metallic antenna with a “square wave” shape. The use of the slot antenna with a detour shape aims at making the length of the antenna as long as possible within a limited space. Herein, since the longer the length of the antenna is, the more the frequency band that can be supported by the antenna is. Therefore, the structure of a slot antenna is adopted by the second antenna 31 according to the embodiment of the present disclosure. For example, according to the embodiment of the present disclosure, the second antenna 31 supporting all frequency bands (such as, all 3G frequency bands, wifi, etc.) can be constructed within a space of 14×6×10mm3 through appropriately debugging the space between the slots of the second antenna 31.
・  Further, the present disclosure is not limited to the situation as illustrated in Fig. 3. For example, the second antenna 31 can be constructed in the connecting component 3, if the connecting component 3 is made of metallic materials. In particular, the surface of the connecting component 3 can be etched into a shape with a “square wave” structure of a slot antenna. In such a case, the connecting component 3 can be used as the second antenna 31. 
・  Further, according to another embodiment of the present disclosure, the second antenna 31 with a structure of a slot antenna can be disposed inside the connecting component 3, if the connecting component 3 is made of non-metallic materials. For example, the connecting component 3 may possess a hollow structure and be used for containing the second antenna 31. 
・  In addition, also, the second antenna 31 with a structure of a slot antenna can be disposed inside the connecting component 3 and an extension of the second antenna 31 is disposed outside the connecting component 3, so as to further increase the length of the second antenna 31. 
・  Further, the information processing device according to each embodiment of the present disclosure may further comprise a feed line (not shown). The feed line is connected with a radio frequency circuit, and has a feed point. Herein, the feed point of the feed line is also disposed in the connecting component 3, and is coupled with the first antenna 11 and the second antenna 31. Herein, the radio frequency circuit sends or receives a radio frequency signal via the feed line 
・  Below is the description about the situation when the first antenna and the second antenna are operating. 
・  For example, in a general operation state of the information processing device (such as, the case of opening and using a notebook computer as illustrated in Fig. 1), the information processing device sends data to the radio frequency circuit via a baseband processor (not shown), when the information processing device wirelessly communicates with an external device or an external network. At this time, the radio circuit produces a radio frequency signal and sends the radio frequency signal to the feed point via the feed line. Herein, since the feed point is disposed in the connecting component 3 and is close to the first antenna 11 and the second antenna 31, no matter whether the feed point is directly connected with the first antenna 11 and the second antenna 31, the feed point is electrically coupled with both the first antenna 11 and the second antenna 31 in a case when the feed point has a radio frequency signal. In such a case, both the first antenna 11 and the second antenna 31 can send the radio frequency signal from the feed point, thus achieving the function of the antenna. In the previous description, the second antenna 31 may be an antenna supporting a plurality of frequency bands. Herein, since the first antenna 11 may be a first surface (the back) of the metallic house body of the display screen and it has a large enough area (the display screen of a notebook computer is generally at least more than 10.1 inches), the first antenna 11 may also be used as an antenna supporting a plurality of frequency bands. 
・  Similarly, when the information processing device receives a radio frequency signal from an external device or network, both the first antenna 11 and the second antenna 31 are electrically coupled with the feed point, such that the radio frequency signal from the external device or network can be sent to the radio frequency circuit via the feed line. 
・  Herein, it should be noted that, since there is not any shelter in the direction extended from the first antenna 11 and the second antenna 31 to the outside of the information processing device, both of the two have a very large clearance area, such that the first antenna 11 and the second antenna 31 possess a high radio frequency signal receiving/sending quality. 
・  The above is described the information processing device according to the embodiment of the present disclosure, but the present disclosure is not limited thereto. The information processing device can further possess other operation states. 
・  For example, according to another embodiment of the present disclosure, an information processing device such as a notebook computer may possess a notebook state or a flat state based on a relative position of the first surface (the back of the display screen) of the first metallic house body and the fourth surface (the lower surface of the host part) of the second metallic house body. For example, a connecting component 3 can be configured to enable the first component 1 to clockwise rotate relative to the second component 2, so as to switch between the notebook state and the flat state. In particular, the information processing device can be used as a notebook computer, when the information processing device is opened (i.e., clockwise rotate the first component 1 relative to the second component 2) to a predetermined position (the first surface and the fourth surface do not coincide, such as 120 degrees). Further, the information processing device can be used as a flat computer, when the first component 1 is enabled to clockwise rotate relative to the second component 2 to make the first surface (the back of the display screen) and the fourth surface (the lower surface of the host part) of the second metallic house body coincide (a mode of backward somersault). 
・  In the notebook state of the information processing device, similar to the previous description, since the feed point is disposed in the connecting component 3 and is close to the first antenna 11 and the second antenna 31, the feed point is electrically coupled with both the first antenna 11 and the second antenna 31 in a case when the feed point has a radio frequency signal. In such a case, both the first antenna 11 and the second antenna 31 can send a radio frequency signal from the feed point, thus achieving the function of the antenna. Further, when the information processing device receives a radio frequency signal from an external deice or network, the first antenna 11 and the second antenna 31 are also electrically coupled with the feed point, such that the radio frequency signal from the external device or network can be sent to the radio frequency circuit via the feed line. 
・  Further, in the flat state of the information processing device, the first surface (the back of the display screen) used as the first antenna 11 and the fourth surface (the lower surface of the host part) of the second metallic house body coincide, i.e., contact. In such a case, since the fourth surface of the second metallic house body is a metallic surface and the fourth surface is generally used as a ground terminal of the first antenna 11 and a second antenna 31, the first antenna 11 is thus directly grounded and cannot be used as an antenna. Further, in a case when the fourth surface is not used as a ground terminal of the first antenna 11 and the second antenna 31, due to the existence of the fourth surface, the first antenna 11 does not possess a large enough clearance area. In such a case, since the second antenna 31 is disposed on the connecting component 3 and its position does not change with the rotation of the first component 1, the second antenna 31 is capable of being coupled with the radio frequency circuit. Therefore, the information processing device is still capable of receiving/sending a radio frequency signal through the second antenna 31. In particular, in the flat state of the information processing device, the feed point of the feed line connected with the radio frequency circuit is coupled with the second antenna 31. In such a case, the second antenna 31 can send the radio frequency signal from the feed point, thus achieving the function of the antenna. Further, when the information processing device receives a radio frequency signal from an external device or network, the second antenna 31 can also be electrically coupled with the feed point, such that the radio frequency signal from the external device or network can be sent to the radio frequency circuit. 
・  According to the above-described configurations, through using a portion of a metallic house of the information processing device as a first antenna and using a portion of a connecting component connecting the first component 1 and the second component 2 as a second antenna, the complexity of the design for the information processing device can be reduced while the function that the information processing device wirelessly communicates with an external device or network can be achieved. Further, since both the first antenna and the second antenna possess a large enough clearance area, the radio frequency signal receiving/sending quality of the first antenna and the second antenna is very high, thus achieving a good effect of wireless communication. In addition, a plurality of operation modes of the information processing device can be supported by the design of a first antenna and a second antenna according to the embodiment of the present disclosure (such as a notebook state and a flat state). Therefore, even if the information processing device is in the operation mode, the information processing device can be allowed to carry through wireless communication by an antenna design comprising a first antenna and a second antenna according to the embodiment of the present disclosure, so as to enhance the usability of the information processing device. 
・  Further, according to another embodiment of the present disclosure, the information processing device can further comprise a frequency divider. The frequency divider can be disposed between the radio frequency circuit and the feed line, and can divide frequency of a signal transmitted by the feed line. Herein, the frequency divider may be realized by any type of frequency divider. Herein, as described above, since the first antenna 11 and the second antenna 31 can support a radio frequency signal of a plurality of frequency bands (such as all frequency bands of 3G and wifi), various radio frequency signals with different frequencies may be transmitted on the feed line coupled with the first antenna 11 and the second antenna 31. In such a case, dividing the radio frequency signals transmitted on the feed line into signals with different frequency bands (such as 3G of 1800MHz, 1900MHz, wifi of 2.4 GHz, etc.) via the frequency divider can merely utilize the first antenna 11 and the second antenna 31 to receive or send a radio frequency signal with different frequencies, such that it does not need to design a plurality of antennas specific to various frequencies. Therefore, disposing a frequency divider between a radio frequency circuit and a feed line can, in a case of not increasing complexity of the antenna design, allow the information processing device to send/receive a radio frequency signal with various frequencies at the same time. Herein, it should be noted that, in a case when signals possibly transmitted on the feed line are divided into various radio frequency signals with different frequencies, it needs a plurality of radio frequency circuits, the number of which corresponding to the number of the divided various radio frequency signals, to receive/send the corresponding radio frequency signals. 
・  The above are described in details each of the embodiments of the present disclosure. However, those skilled in the art should understand that, many modifications, combinations or sub-combinations can be made without departing from the principle and scope of the present disclosure, and such modifications, combinations or sub-combinations should be considered as falling into the scope of the present disclosure. 
1. An information processing device, comprising
a first component, including a display unit and a first antenna of the information processing device;
a second component, including an arithmetic unit and a radio frequency circuit; the arithmetic unit used for providing a display signal to the display unit;
a first connecting means used for connecting the first component and the second component and enabling the first component to rotate relative to the second component; and 
a second antenna disposed on the first connecting means. 
2. The information processing device as claimed in claim 1, wherein:
the first component comprises a first metallic house body used for containing the display unit, and the first metallic house body has a first surface and a second surface; and 
the first surface of the first metallic house body is opposite to a display screen of the display unit, and is used as the first antenna.
3. The information processing device as claimed in claim 2, wherein:
the second component comprises a second metallic house body used for containing the arithmetic unit and the radio frequency circuit, and the second metallic house body has a third surface and a fourth surface, 
wherein the third surface is an upper surface of the second metallic house body, and the fourth surface is a lower surface of the second metallic house body; and 
the information processing device has a first operation state and a second operation state based on a relative position of the first surface and the fourth surface.
4. The information processing device as claimed in claim 3, wherein:
the information processing device has the first operation state, if the first component clockwise rotates relative to the second component, and if the first surface and the fourth surface do not coincide; and 
the information processing device has the second operation state, if the first component clockwise rotates relative to the second component, and if the first surface and the fourth surface coincide. 
5. The information processing device as claimed in claim 4, wherein:
in the first operation state, the first antenna is coupled with the radio frequency circuit, and the second antenna is coupled with the radio frequency circuit; and 
in the second operation state, the second antenna is coupled with the radio frequency circuit.
6. The information processing device as claimed in claim 5, further comprising:
a feed line connected with the radio frequency circuit, the feed line having a feed point; 
wherein the radio frequency circuit is used for receiving or sending a radio frequency signal via the feed line. 
7. The information processing device as claimed in claim 6, wherein:
the feed point is disposed in the first connecting means; and 
in the first operation state, the feed point is electrically coupled with the first antenna and/or the second antenna. 
8. The information processing device as claimed in claim 6, wherein:
in the second operation status, the feed point is electrically coupled with the second antenna. 
9. The information processing device as claimed in claim 6, further comprising:
a frequency divider disposed between the radio frequency circuit and the feed line, being configured to divide a frequency of the radio frequency signal transmitted by the feed line. 
Provided is an information processing device, comprising: a first component, including a display unit and a first antenna of the information processing device; a second component, including an arithmetic unit and a radio frequency circuit; the arithmetic unit used for providing a display signal to the display unit; a first connecting means used for connecting the first component and the second component and enabling the first component to rotate relative to the second component; and a second antenna disposed on the first connecting means. 
2013081175.tif 000006
2013081175.tif 000007
2013081175.tif 000008